(57)【特許請求の範囲】
【請求項１】
電磁加熱装置に入力された交流電源の電圧ゼロクロス信号を検出する電圧ゼロクロス検出ユニットと、
共振加熱ユニットと、
前記交流電源を整流フィルタリング処理して前記共振加熱ユニットに供給する整流フィルタリングユニットと、
前記共振加熱ユニットが共振作動されるように制御する電力スイッチトランジスタと、
前記電力スイッチトランジスタのオン及びオフを駆動するように、前記電力スイッチトランジスタの駆動端に接続される駆動ユニットと、
前記電力スイッチトランジスタの駆動電圧を変更するように、前記電力スイッチトランジスタの駆動端に接続される駆動変圧ユニットと、
前記電圧ゼロクロス検出ユニット、前記駆動ユニット、及び前記駆動変圧ユニットにそれぞれ接続され、前記電圧ゼロクロス信号に基づいて、前記交流電源のゼロクロスポイントの前に、前記駆動ユニット及び前記駆動変圧ユニットを制御することで、前記電力スイッチトランジスタが第１の駆動電圧の駆動によって作動され、また、前記電力スイッチトランジスタのコレクターの電圧が最小限まで発振されたときに、前記駆動変圧ユニットが作動を停止するように制御するとともに、前記駆動ユニットを制御することで、前記電力スイッチトランジスタが前記第１の駆動電圧よりも大きい第２の駆動電圧の駆動によって作動されると判断するメインコントロールユニットと、を備える、
ことを特徴とする電磁加熱装置の加熱制御回路。
【請求項２】
前記電力スイッチトランジスタの作動過程は、第１の時間帯及び第２の時間帯を含み、
前記第１の時間帯において、前記第１の駆動電圧の振幅が変わらないままか、又は直線的に増加し、前記第１の駆動電圧のパルス幅が増加するか、又は同一になり、
前記第２の時間帯において、前記第２の駆動電圧の振幅が変わらないままであり、前記第２の駆動電圧のパルス幅は増加するか、又は同一になる、
ことを特徴とする請求項１に記載の電磁加熱装置の加熱制御回路。
【請求項３】
前記第１の時間帯において、前記電力スイッチトランジスタが増幅状態で作動し、前記第２の時間帯において、前記電力スイッチトランジスタがスイッチ状態で作動する、
ことを特徴とする請求項２に記載の電磁加熱装置の加熱制御回路。
【請求項４】
前記交流電源のゼロクロスポイントにおいて、前記電力スイッチトランジスタのコレクターの電圧が最小限まで発振する、
ことを特徴とする請求項１に記載の電磁加熱装置の加熱制御回路。
【請求項５】
前記第１の時間帯において、前記電力スイッチトランジスタが振幅が変わらない第１の駆動電圧の駆動によって作動するように、前記メインコントロールユニットが前記駆動ユニットに前記第１の制御信号を出力するとともに、前記駆動変圧ユニットに第２の制御信号を出力し、前記電力スイッチトランジスタのコレクターの電圧が発振されて小さくなり、
前記第２の時間帯において、前記電力スイッチトランジスタが前記第２の駆動電圧の駆動によって作動するように、前記メインコントロールユニットが前記駆動ユニットに前記第１の制御信号を出力するとともに、前記駆動変圧ユニットが作動を停止するように、前記メインコントロールユニットが前記駆動変圧ユニットに第３の制御信号を出力する、
ことを特徴とする請求項２に記載の電磁加熱装置の加熱制御回路。
【請求項６】
前記電力スイッチトランジスタがＩＧＢＴであり、前記第１の制御信号がＰＰＧパルスであり、前記第２の制御信号がハイレベル信号であり、前記第３の制御信号がローレベル信号である、
ことを特徴とする請求項５に記載の電磁加熱装置の加熱制御回路。
【請求項７】
前記駆動変圧ユニットは、
一端が前記メインコントロールユニットに接続される第１の抵抗器と、
ベースが前記第１の抵抗器の他端に接続され、エミッターが接地される第１の三極管と、
前記第１の三極管のベースとエミッターとの間に接続される第２の抵抗器と、
一端が前記第１の三極管のコレクターに接続され、他端が前記駆動スイッチトランジスタの駆動端に接続される第３の抵抗器と、を備える、
ことを特徴とする請求項１乃至６中のいずれかに記載の電磁加熱装置の加熱制御回路。
【請求項８】
前記駆動ユニットは、
一端が前記メインコントロールユニットに接続される第４の抵抗器と、
一端が前記第４の抵抗器の一端及び前記メインコントロールユニットにそれぞれ接続され、他端が接地される第５の抵抗器と、
ベースが前記第４の抵抗器の他端に接続され、エミッターが接地され、コレクターが第６の抵抗器を介して電圧が予め設定された電源に接続される第２の三極管と、
ベースが前記第２の三極管のコレクターに接続され、エミッターが接地され、コレクターが第７の抵抗器を介して前記電圧が予め設定された電源に接続される第３の三極管と、
ベースが前記第３の三極管のコレクターに接続され、コレクターが第８の抵抗器を介して前記電圧が予め設定された電源に接続される第４の三極管と、
ベースが前記第４の三極管のベースに接続され、コレクターが接地される第５の三極管と、
一端が前記第５の三極管のエミッターに接続され、他端が前記第４の三極管のエミッターに接続される第９の抵抗器と、
一端が前記第４の三極管のエミッター及び前記第９の抵抗器の他端にそれぞれ接続され、他端が前記電力スイッチトランジスタの駆動端に接続される第１０の抵抗器と、を備える、
ことを特徴とする請求項７に記載の電磁加熱装置の加熱制御回路。
【請求項９】
第１のツェナーダイオード及び第１１の抵抗器をさらに備え、前記第１のツェナーダイオードのアノードが前記ＩＧＢＴのエミッターに接続された後接地され、前記第１のツェナーダイオードのカソードが前記ＩＧＢＴのゲートに接続され、前記第１１の抵抗器と前記第１のツェナーダイオードとが並列接続される、
ことを特徴とする請求項６に記載の電磁加熱装置の加熱制御回路。
【請求項１０】
請求項１乃至９中のいずれかに記載の電磁加熱装置の加熱制御回路を備える、
ことを特徴とする電磁加熱装置。
【請求項１１】
共振加熱ユニットと、前記共振加熱ユニットが共振作動されるように制御する電力スイッチトランジスタと、前記電力スイッチトランジスタのオン及びオフを駆動する駆動ユニットと、前記電力スイッチトランジスタの駆動電圧を変更する駆動変圧ユニットと、を備える電磁加熱装置の低電力加熱制御方法であって、
低電力加熱の指令を受信したとき、前記電磁加熱装置が間欠的加熱を行うように、波紛失方式によって前記電力スイッチトランジスタを制御するステップと、
前記電磁加熱装置に入力された交流電源の電圧ゼロクロス信号を検出するステップと、
前記電磁加熱装置を制御して加熱停止区間から加熱区間に切り替えるとき、前記電圧ゼロクロス信号に基づいて、前記交流電源のゼロクロスポイントの前に、前記駆動ユニット及び前記駆動変圧ユニットを制御することで、前記電力スイッチトランジスタが第１の駆動電圧の駆動によって作動され、また、前記電力スイッチトランジスタのコレクターの電圧が最小限まで発振されたときに、前記駆動変圧ユニットが作動を停止するように制御するとともに、前記駆動ユニットを制御することで、前記電力スイッチトランジスタが前記第１の駆動電圧よりも大きい第２の駆動電圧の駆動によって作動されると判断するステップと、を含む、
ことを特徴とする電磁加熱装置の低電力加熱制御方法。
【請求項１２】
前記電力スイッチトランジスタの作動過程は、第１の時間帯及び第２の時間帯を含み、
前記第１の時間帯において、前記第１の駆動電圧の振幅が変わらないままか、又は直線的に増加し、前記第１の駆動電圧のパルス幅が増加するか、又は同一になり、
前記第２の時間帯において、前記第２の駆動電圧の振幅が変わらないままであり、前記第２の駆動電圧のパルス幅は増加するか、又は同一になる、
ことを特徴とする請求項１１に記載の電磁加熱装置の低電力加熱制御方法。
【請求項１３】
前記第１の時間帯において、前記電力スイッチトランジスタが増幅状態で作動し、前記第２の時間帯において、前記電力スイッチトランジスタがスイッチ状態で作動する、
ことを特徴とする請求項１２に記載の電磁加熱装置の低電力加熱制御方法。
【請求項１４】
前記交流電源のゼロクロスポイントにおいて、前記電力スイッチトランジスタのコレクターの電圧が最小限まで発振する、
ことを特徴とする請求項１１に記載の電磁加熱装置の低電力加熱制御方法。
【請求項１５】
前記第１の時間帯において、前記電力スイッチトランジスタは振幅が変わらない第１の駆動電圧の駆動によって作動するように、前記駆動ユニットに前記第１の制御信号を出力するとともに、前記駆動変圧ユニットに第２の制御信号を出力し、前記電力スイッチトランジスタのコレクターの電圧が発振されて小さくなり、
前記第２の時間帯において、前記電力スイッチトランジスタが前記第２の駆動電圧の駆動によって作動するように、前記駆動ユニットに前記第１の制御信号を出力するとともに、前記駆動変圧ユニットが作動を停止するように、前記駆動変圧ユニットに第３の制御信号を出力する、
ことを特徴とする請求項１２に記載の電磁加熱装置の低電力加熱制御方法。
【請求項１６】
前記第１の制御信号がＰＰＧパルスであり、前記第２の制御信号がハイレベル信号であり、前記第３の制御信号がローレベル信号である、
ことを特徴とする請求項１５に記載の電磁加熱装置の低電力加熱制御方法。
【発明の詳細な説明】
【技術分野】
【０００１】
本発明は、電磁加熱技術分野に関し、特に、電磁加熱装置の加熱制御回路、電磁加熱装置の低電力加熱制御方法、及び電磁加熱装置に関する。
【背景技術】
【０００２】
従来、単一のＩＧＢＴ（Insulated Gate Bipolar Transistor、絶縁ゲートバイポーラトランジスタ）の電磁共振回路は、通常、並列共振方式を用いるとともに、電磁調理器の大電力運転を実現する共振パラメータを採用するとき、低電力で連続して運転すると、以下の問題が生じられる。
【０００３】
（１）ＩＧＢＴの電圧が早めにターンオンされ、ターンオンされる瞬間にＩＧＢＴの過渡電流のピーク値が高くなってしまうので、ＩＧＢＴの電流ピーク値規格限界を容易に超えてＩＧＢＴを壊す。
【０００４】
（２）ＩＧＢＴの発熱が厳しくなるので、ＩＧＢＴの昇温の要求に合致するように、ＩＧＢＴに対する放熱（例えば、ヒートシンクを増えたり、ファンの回転速度を増えたりするなど）を強化する必要がある。
【０００５】
（３）デューティ比の加熱方式、即ち、断続的加熱方式によって低電力加熱を実現する場合、フィルタリングコンデンサーが存在するので、ＩＧＢＴが次の周期にターンオンされる時、無理にターンオンされる現象が発生されて、ＩＧＢＴが容易に焼却されてしまう。
【発明の概要】
【発明が解決しようとする課題】
【０００６】
本発明は、上記技術に存在する技術的問題を少なくとも一定程度で解決することを目的とする。そのため、本発明は、駆動変圧ユニットを追加して、電磁加熱装置による加熱のとき、電力スイッチトランジスタが変圧起動してターンオンされるように制御することで、電力スイッチトランジスタが損害されるリスクを低下させ、ターンオンされるときのノイズを低減できる電磁加熱装置の加熱制御回路を提供することを１つ目の目的とする。
【０００７】
本発明は、電磁加熱装置の低電力加熱制御方法を提供することを２つ目の目的とする。本発明は、電磁加熱装置を提供することを３つ目の目的とする。
【課題を解決するための手段】
【０００８】
上記目的を達成するために、本発明の第１態様の実施例は、電磁加熱装置に入力された交流電源の電圧ゼロクロス信号を検出する電圧ゼロクロス検出ユニットと、共振加熱ユニットと、前記交流電源を整流フィルタリング処理して前記共振加熱ユニットに供給する整流フィルタリングユニットと、前記共振加熱ユニットが共振動作されるように制御する電力スイッチトランジスタと、前記電力スイッチトランジスタのオン及びオフを駆動するように、前記電力スイッチトランジスタの駆動端に接続される駆動ユニットと、前記電力スイッチトランジスタの駆動電圧を変更するように、前記電力スイッチトランジスタの駆動端に接続される動変圧ユニットと、前記電圧ゼロクロス検出ユニット、前記駆動ユニット、及び前記駆動変圧ユニットにそれぞれ接続され、前記電圧ゼロクロス信号に基づいて、前記交流電源のゼロクロスポイントの前に、前記駆動ユニット及び前記駆動変圧ユニットを制御することで、前記電力スイッチトランジスタが第１の駆動電圧の駆動によって作動され、また、前記電力スイッチトランジスタのコレクターの電圧が最小限まで発振されたときに、前記駆動変圧ユニットが作動を停止するように制御するとともに、前記駆動ユニットを制御することで、前記電力スイッチトランジスタが前記第１の駆動電圧よりも大きい第２の駆動電圧の駆動によって作動されると判断するメインコントロールユニットと、を備える電磁加熱装置の加熱制御回路を提供する。
【０００９】
本発明の実施例に係る電磁加熱装置の加熱制御回路によれば、駆動変圧ユニットを追加することで電力スイッチトランジスタの駆動電圧を変更する。このように、メインコントロールユニットが電圧ゼロクロス信号に基づいて、交流電源のゼロクロスポイントの前に、駆動ユニット及び駆動変圧ユニットを制御することで、電力スイッチトランジスタが第１の駆動電圧の駆動によって作動され、また、電力スイッチトランジスタのコレクターの電圧が最小限まで発振されたときに、駆動変圧ユニットが作動を停止するように制御するとともに、駆動ユニットを制御することで、電力スイッチトランジスタが第２の駆動電圧の駆動によって作動されると判断する。従って、電磁加熱装置が加熱するとき、変圧駆動の方式によって電力スイッチトランジスタが起動されてオンにされ、電力スイッチトランジスタのオン電流が小さくなり、電力スイッチトランジスタが無理にオンにされることによる損害を低減できるとともに、オンにされるときのノイズを低減でき、また、電力スイッチトランジスタが厳しく発熱されることを防止でき、電磁加熱装置の運転信頼性を向上できるとともに、電磁加熱装置の加熱電力の範囲を広げることができる。
【００１０】
本発明の１つの実施例において、前記電力スイッチトランジスタの作動過程は、第１の時間帯及び第２の時間帯を含み、前記第１の時間帯において、前記第１の駆動電圧の振幅が変わらないままか、又は直線的に増加し、前記第１の駆動電圧のパルス幅が増加するか、又は同一になり、前記第２の時間帯において、前記第２の駆動電圧の振幅が変わらないままであり、前記第２の駆動電圧のパルス幅は増加するか、又は同一になる。
【００１１】
また、前記第１の時間帯において、前記電力スイッチトランジスタが増幅状態で作動し、前記第２の時間帯において、前記電力スイッチトランジスタがスイッチ状態で作動する。
【００１２】
本発明の１つの実施例において、前記交流電源のゼロクロスポイントにおいて、前記電力スイッチトランジスタのコレクターの電圧が最小限まで発振する。
【００１３】
本発明の１つの実施例において、前記第１の時間帯において、前記電力スイッチトランジスタが振幅が変わらない第１の駆動電圧の駆動によって作動するように、前記メインコントロールユニットが前記駆動ユニットに前記第１の制御信号を出力するとともに、前記駆動変圧ユニットに第２の制御信号を出力し、前記電力スイッチトランジスタのコレクターの電圧が発振されて小さくなり、前記第２の時間帯において、前記電力スイッチトランジスタが前記第２の駆動電圧の駆動によって作動するように、前記メインコントロールユニットが前記駆動ユニットに前記第１の制御信号を出力するとともに、前記駆動変圧ユニットが作動を停止するように、前記メインコントロールユニットが前記駆動変圧ユニットに第３の制御信号を出力する。
【００１４】
具体的に、前記電力スイッチトランジスタがＩＧＢＴであり、前記第１の制御信号がＰＰＧパルスであり、前記第２の制御信号がハイレベル信号であり、前記第３の制御信号がローレベル信号である。
【００１５】
本発明の１つの実施例において、前記駆動変圧ユニットは、一端が前記メインコントロールユニッに接続される第１の抵抗器と、ベースが前記第１の抵抗器の他端に接続され、エミッターが接地される第１の三極管と、前記第１の三極管のベースとエミッターとの間に接続される第２の抵抗器と、一端が前記第１の三極管のコレクターに接続され、他端が前記駆動スイッチの駆動端に接続される第３の抵抗器と、を備える。
【００１６】
また、前記駆動ユニットは、一端が前記メインコントロールユニットに接続される第４の抵抗器と、一端が前記第４の抵抗器の一端及び前記メインコントロールユニットにぞれぞれ接続され、他端が接地される第５の抵抗器と、ベースが前記第４の抵抗器の他端に接続され、エミッターが接地され、コレクターが第６の抵抗器を介して電圧が予め設定された電源に接続される第２の三極管と、ベースが前記第２の三極管のコレクターに接続され、エミッターが接地され、コレクターが第７の抵抗器を介して前記電圧が予め設定された電源に接続される第３の三極管と、ベースが前記第３の三極管のコレクターに接続され、コレクターが第８の抵抗器を介して前記電圧が予め設定された電源に接続される第４の三極管と、ベースが前記第４の三極管のベースに接続され、コレクターが接地される第５の三極管と、一端が前記第５の三極管のエミッターに接続され、他端が前記第４の三極管のエミッターに接続される第９の抵抗器と、一端が前記第４の三極管のエミッター及び前記第９の抵抗器の他端にそれぞれ接続され、他端が前記電力スイッチトランジスタの駆動端に接続される第１０の抵抗器と、を備える。
【００１７】
本発明の１つの実施例において、前記電磁加熱装置の加熱制御回路は、第１のツェナーダイオード及び第１１の抵抗器をさらに備え、前記第１のツェナーダイオードのアノードが前記ＩＧＢＴのエミッターに接続された後接地され、前記第１のツェナーダイオードのカソードが前記ＩＧＢＴのゲートに接続され、前記第１１の抵抗器と前記第１のツェナーダイオードとが並列接続される。
【００１８】
上記目的を達成するために、本発明の第２態様の実施例は、共振加熱ユニットと、前記共振加熱ユニットが共振作動されるように制御する電力スイッチトランジスタと、前記電力スイッチトランジスタのオン及びオフを駆動する駆動ユニットと、前記電力スイッチトランジスタの駆動電圧を変更する駆動変圧ユニットとを備える電磁加熱装置の低電力加熱制御方法であって、低電力加熱の指令を受信したとき、前記電磁加熱装置が間欠的加熱を行うように、波紛失方式によって前記電力スイッチトランジスタを制御するステップと、前記電磁加熱装置に入力された交流電源の電圧ゼロクロス信号を検出するステップと、前記電磁加熱装置を制御して加熱停止区間から加熱区間に切り替えるとき、前記電圧ゼロクロス信号に基づいて、前記交流電源のゼロクロスポイントの前に、前記駆動ユニット及び前記駆動変圧ユニットを制御することで、前記電力スイッチトランジスタが第１の駆動電圧の駆動によって作動され、また、前記電力スイッチトランジスタのコレクターの電圧が最小限まで発振されたときに、前記駆動変圧ユニットが作動を停止するように制御するとともに、前記駆動ユニットを制御することで、前記電力スイッチトランジスタが前記第１の駆動電圧よりも大きい第２の駆動電圧の駆動によって作動されると判断するステップと、を含む電磁加熱装置の低電力加熱制御方法を提供する。
【００１９】
本発明の実施例に係る電磁加熱装置の低電力加熱制御方法によれば、低電力加熱の指令を受信したとき、電磁加熱装置が間欠的加熱を行うように、波紛失方式によって電力スイッチトランジスタを制御するとともに、電磁加熱装置を制御して加熱停止区間から加熱区間に切り替えるとき、電圧ゼロクロス信号に基づいて、交流電源のゼロクロスポイントの前に、駆動ユニット及び駆動変圧ユニットを制御することで、電力スイッチトランジスタが第１の駆動電圧の駆動によって作動され、また、電力スイッチトランジスタのコレクターの電圧が最小限まで発振されたときに、駆動変圧ユニットが作動を停止するように制御するとともに、駆動ユニットを制御することで、電力スイッチトランジスタが第２の駆動電圧の駆動によって作動されると判断する。従って、電磁加熱装置が加熱区間に入るとき、変圧駆動の方式によって電力スイッチトランジスタが起動されてオンにされ、電力スイッチトランジスタのオン電流が小さくなり、電力スイッチトランジスタが無理にオンにされることによる損害を低減できるとともに、オンにされるときのノイズを低減でき、また、電力スイッチトランジスタが厳しく発熱されることを防止でき、電磁加熱装置の運転信頼性を向上できるとともに、電磁加熱装置の加熱電力の範囲を広げることができる。
【００２０】
本発明の１つの実施例において、前記電力スイッチトランジスタの作動過程は、第１の時間帯及び第２の時間帯を含み、前記第１の時間帯において、前記第１の駆動電圧の振幅が変わらないままか、又は直線的に増加し、前記第１の駆動電圧のパルス幅が増加するか、又は同一になり、前記第２の時間帯において、前記第２の駆動電圧の振幅が変わらないままであり、前記第２の駆動電圧のパルス幅は増加するか、又は同一になる。
【００２１】
また、前記第１の時間帯において、前記電力スイッチトランジスタが増幅状態で作動し、前記第２の時間帯において、前記電力スイッチトランジスタがスイッチ状態で作動する。
【００２２】
本発明の１つの実施例において、前記交流電源のゼロクロスポイントにおいて、前記電力スイッチトランジスタのコレクターの電圧が最小限まで発振する。
【００２３】
本発明の１つの実施例において、前記第１の時間帯において、前記電力スイッチトランジスタは振幅が変わらない第１の駆動電圧の駆動によって作動するように、前記駆動ユニットに前記第１の制御信号を出力するとともに、前記駆動変圧ユニットに第２の制御信号を出力し、前記電力スイッチトランジスタのコレクターの電圧が発振されて小さくなり、前記第２の時間帯において、前記電力スイッチトランジスタが前記第２の駆動電圧の駆動によって作動するように、前記駆動ユニットに前記第１の制御信号を出力するとともに、前記駆動変圧ユニットが作動を停止するように、前記駆動変圧ユニットに第３の制御信号を出力する。
【００２４】
ここで、前記第１の制御信号がＰＰＧパルスであり、前記第２の制御信号がハイレベル信号であり、前記第３の制御信号がローレベル信号である。
【００２５】
さらに、本発明の実施例は、上記の電磁加熱装置の加熱制御回路を備える電磁加熱装置をさらに提供する。
【発明の効果】
【００２６】
本発明の実施例に係る電磁加熱装置によれば、加熱制御回路に駆動変圧ユニットを追加することで電力スイッチトランジスタの駆動電圧を変更する。このように、電磁加熱装置が加熱区間に入るとき、変圧駆動方式によって電極スイッチが起動されてオンにされることを実現できて、電力スイッチトランジスタのオン電流が小さくなり、電力スイッチトランジスタが無理にオンにされることによる損害を防止できるとともに、オンにされるときのノイズを低減でき、また、電力スイッチトランジスタが厳しく発熱されることを防止でき、運転信頼性を向上できるとともに、加熱電力の範囲を広げることができる。
【図面の簡単な説明】
【００２７】
【図１】本発明の一実施例に係る電磁加熱装置の加熱制御回路のブロック概略図である。
【図２】本発明の一実施例に係る電磁加熱装置が低電力加熱運転するときの波形図である。
【図３】本発明の他の実施例に係る電磁加熱装置が低電力加熱運転するときの波形図である。
【図４Ａ】本発明の一実施例における第１の駆動電圧Ｖ１及び第２の駆動電圧Ｖ２の変化を示す概略図である。
【図４Ｂ】本発明の他の実施例における第１の駆動電圧Ｖ１及び第２の駆動電圧Ｖ２の変化を示す概略図である。
【図５】本発明の一つの具体的な実施例における駆動ユニット及び駆動変圧ユニットの回路図である。
【図６】本発明の実施例に係る電磁加熱装置の低電力加熱制御方法のフローチャートである。
【発明を実施するための形態】
【００２８】
以下、本発明の実施例を詳細に説明する。前記実施例の例が図面に示されるが、同一又は類似する符号は、常に、同一又は類似の部品、或いは、同一又は類似の機能を有する部品を表す。以下に、図面を参照しながら説明される実施例は例示的なものであり、本発明を解釈するためだけに用いられ、本発明を限定するものと理解されてはならない。
【００２９】
以下、図面を参照しながら、本発明の実施例に係る電磁加熱装置の加熱制御回路、電磁加熱装置の低電力加熱制御方法、及び電磁加熱装置を説明する。
【００３０】
図１は、本発明の一実施例に係る電磁加熱装置の加熱制御回路のブロック概略図である。図１に示すように、前記電磁加熱装置の加熱制御回路は、電圧ゼロクロス検出ユニット１０と、共振加熱ユニット２０と、整流フィルタリングユニット３０と、電力スイッチトランジスタ４０と、駆動ユニット５０と、駆動変圧ユニット６０と、メインコントロールユニット７０とを備える。
【００３１】
ここで、電圧ゼロクロス検出ユニット１０は、電磁加熱装置の交流電源（Ｌ、Ｎ）に入力された電圧ゼロクロス信号を検出するためのものである。例えば、図１に示すように、電圧ゼロクロス検出ユニット１０は交流電源（Ｌ、Ｎ）に接続される。整流フィルタリングユニット３０は、交流電源に対して整流フィルタリング処理して直流電気を共振加熱ユニット２０に供給する。図１に示すように、整流フィルタリングユニット３０は、整流ブリッジ３０１と、フィルタリングインダクタＬ１と、フィルタリングコンデンサーＣ１とを備え、共振加熱ユニット２０は、共振コイルＬ２と、共振コンデンサーＣ２とを備え、共振コイルＬ２と共振コンデンサーＣ２とは並列接続される。電力スイッチトランジスタ４０は、共振加熱ユニット２０が共振動作されるように制御するものである。ここで、電力スイッチトランジスタ４０は、ＩＧＢＴであってもよく、ＩＧＢＴのコレクターが並列された共振コイルＬ２及び共振コンデンサーＣ２に接続される。
【００３２】
図１に示すように、駆動ユニット５０は、電力スイッチトランジスタ４０のオン及びオフを駆動するように、電力スイッチトランジスタ４０の駆動端、例えば、ＩＧＢＴのゲートに接続される。駆動変圧ユニット６０は、電力スイッチトランジスタ４０の駆動電圧を変更するように、電力スイッチトランジスタ４０の駆動端、例えば、ＩＧＢＴのゲートに接続される。メインコントロールユニット７０、例えば、メインコントロールチップは、電圧ゼロクロス検出ユニット１０、駆動ユニット５０、及び駆動変圧ユニット６０にそれぞれ接続され、メインコントロールユニット７０は、電圧ゼロクロス信号に基づいて、交流電源のゼロクロスポイントの前に、駆動ユニット５０及び駆動変圧ユニット６０を制御することで、電力スイッチトランジスタ４０が第１の駆動電圧Ｖ１の駆動によって作動され、また、電力スイッチトランジスタ４０のコレクターの電圧が最小限、例えばゼロまで発振するときに、メインコントロールユニット７０は駆動変圧ユニット６０が作動を停止するように制御するとともに、駆動ユニット５０を制御することで、電力スイッチトランジスタ４０が第２の駆動電圧Ｖ２の駆動によって作動されることと判断する。ここで、第２の駆動電圧Ｖ２が第１の駆動電圧Ｖ１よりも大きい。
【００３３】
さらに、本発明の一実施例において、図２は、電磁加熱装置が低電力加熱運転するときの波形図であり、上から下への順に、それぞれ交流商用電源波形、低電力加熱波形（波紛失方式によって間欠的加熱を行い、デューティ比が１/２である）、電磁加熱装置が低電力加熱するときのＩＧＢＴのコレクターのＣ極の電圧波形、ＩＧＢＴの駆動波形である。ここで、加熱停止のＢＣ区間及び加熱段階のＣＤ区間の図面におけるＩＧＢＴのＣ極の電圧波形は、Ｃ極の電圧が発振する過程でピーク電圧により形成された包絡波形である。図２に示すように、電磁加熱装置が波紛失方式、即ち、間欠的加熱方式（加熱デューティ比が１/２である）によって低電力加熱する場合、加熱停止区間から加熱区間へ切り替えるとき、メインコントロールユニット７０は第１の制御信号を駆動ユニット５０に出力するとともに、第２の制御信号を駆動変圧ユニット６０に出力することで、ＩＧＢＴが第１の駆動電圧の駆動によってオン及びオフにされて、ＩＧＢＴのＣ極の電圧が発振され、ＩＧＢＴのＣ極の電圧が最小限まで発振されたとき、メインコントロールユニット７０は第１の制御信号を駆動ユニット５０に出力するとともに、第３の制御信号を駆動変圧ユニット６０に出力することで、ＩＧＢＴが第２の駆動電圧の駆動によってオン及びオフにされて、ＩＧＢＴの変圧起動が実現される。即ち、ＩＧＢＴの駆動電圧を変更する方式によってＩＧＢＴを起動させる。
【００３４】
本発明の他の一実施例において、図３は、電磁加熱装置が低電力加熱運転するときの波形図であり、上から下への順に、それぞれ交流商用電源波形、低電力加熱波形（波紛失方式によって間欠的加熱を行い、デューティ比が２/３である）、電磁加熱装置が低電力加熱するときのＩＧＢＴのコレクターのＣ極の電圧波形、及びＩＧＢＴの駆動波形である。図３に示すように、電磁加熱装置が波紛失方式、即ち、間欠的加熱方式（加熱デューティ比が２/３である）によって低電力加熱する場合、同様に、加熱停止区間から加熱区間へ切り替えるとき、メインコントロールユニット７０は第１の制御信号を駆動ユニット５０に出力するとともに、第２の制御信号を駆動変圧ユニット６０に出力することで、ＩＧＢＴが第１の駆動電圧の駆動によってオン及びオフにされて、ＩＧＢＴのＣ極の電圧が発振され、ＩＧＢＴのＣ極の電圧が最小限まで発振されたとき、メインコントロールユニット７０は第１の制御信号を駆動ユニット５０に出力するとともに、第３の制御信号を駆動変圧ユニット６０に出力することで、ＩＧＢＴが第２の駆動電圧の駆動によってオン及びオフにされて、ＩＧＢＴの変圧起動が実現される。即ち、ＩＧＢＴの駆動電圧を変更する方式によってＩＧＢＴを起動させる。
【００３５】
図２又は図３に示すように、電力スイッチトランジスタ４０、例えば、ＩＧＢＴの作動過程は、第１の時間帯Ｔ１及び第２の時間帯Ｔ２を含む。ここで、第１の時間帯Ｔ１において、第１の駆動電圧Ｖ１の振幅が変わらないままか、又は直線的に増加し、第１の駆動電圧Ｖ１のインパルス幅が増加するか、又は同一になる。第２の時間帯Ｔ２において、第２の駆動電圧Ｖ２の振幅が変わらず維持され、第２の駆動電圧Ｖ２のパルス幅が増加するか、又は同一になる。即ち、ＩＧＢＴの駆動電圧は、図４Ａに示すように、駆動ユニット５０及び駆動変圧ユニット６０の作用によって、振幅が変わらないＶ１から振幅が変わらないＶ２に変更するものであってよく、また、図４Ｂに示すように、Ｖ１からＶ２に直線的に変化されるものであってもよく、或いは、Ｖ１乃至Ｖ２値内における複数の変化値であってもよい。また、第１の駆動電圧及び第２の駆動電圧のパルス幅が増加するか、又は同一になるように制御して、ＩＧＢＴの電流を穏やかに制御することで、ＩＧＢＴの衝撃電流をできる限り低減させて、ＩＧＢＴの損害を防止することができる。
【００３６】
また、ＩＧＢＴのゲートの駆動電圧がＶ１である場合、ＩＧＢＴが増幅状態で作動され、即ち、第１の時間帯Ｔ１において、電力スイッチトランジスタ、例えば、ＩＧＢＴが増幅状態で作動される。ＩＧＢＴのゲートの駆動電圧がＶ２である場合、ＩＧＢＴがスイッチ状態で作動され、即ち、第２の時間帯Ｔ２において、電力スイッチトランジスタ、例えば、ＩＧＢＴがスイッチ状態で作動される。ＩＧＢＴのゲートの駆動電圧がＶ１である場合、ＩＧＢＴが増幅状態で作動される。このとき、ＩＧＢＴを流れる電流が駆動電圧Ｖ１の大きさに関連する。
【００３７】
本発明の実施例において、図２又は図３に示すように、交流電源のゼロクロスポイントにおいて、電力スイッチトランジスタ、例えば、ＩＧＢＴのコレクターの電圧が最小限、例えば、ゼロまで発振する。
【００３８】
具体的に、第１の時間帯Ｔ１において、メインコントロールユニット７０は、第１の制御信号を駆動ユニット５０に出力するとともに、第２の制御信号を駆動変圧ユニット６０に出力することで、電力スイッチトランジスタを振幅が変わらない第１の駆動電圧Ｖ１の駆動によって作動させ、電力スイッチトランジスタのコレクターの電圧が発振されて小さくなる。第２の時間帯Ｔ２において、メインコントロールユニット７０は、第１の制御信号を駆動ユニット５０に出力することで、電力スイッチトランジスタを第２の駆動電圧Ｖ２の駆動によって作動させるとともに、第３の制御信号を駆動変圧ユニット６０に出力して、駆動変圧ユニット６０の三極管が遮断されて、駆動変圧ユニットの作動を停止させる。
【００３９】
本発明の一実施例において、第１の制御信号がＰＰＧパルスであり、第２の制御信号がハイレベル信号であり、第３の制御信号がローレベル信号であってもよい。
【００４０】
具体的に、図５に示すように、駆動変圧ユニット６０は、第１の抵抗器Ｒ１、第１の三極管Ｑ１、第２の抵抗器Ｒ２、及び第３の抵抗器Ｒ３を備える。ここで、第１の抵抗器Ｒ１の一端がメインコントロールユニット７０に接続され、第１の三極管Ｑ１のベースが第１の抵抗器Ｒ１の他端に接続され、第１の三極管Ｑ２のエミッターが接地され、第２の抵抗器Ｒ２が第１の三極管Ｑ１のベースとエミッターとの間に接続され、第３の抵抗器Ｒ３の一端が第１の三極管Ｑ１のコレクターに接続され、第３の抵抗器Ｒ３の他端が駆動スイッチトランジスタ４０の駆動端、例えば、ＩＧＢＴのゲートに接続される。
【００４１】
また、図５に示すように、駆動ユニット５０は、第４の抵抗器Ｒ４、第５の抵抗器Ｒ５、第６の抵抗器Ｒ６、第７の抵抗器Ｒ７、第８の抵抗器Ｒ８、第９の抵抗器Ｒ９、第１０の抵抗器Ｒ１０、及び第２の三極管Ｑ２、第３の三極管Ｑ３、第４の三極管Ｑ４、第５の三極管Ｑ５を備える。第４の抵抗器Ｒ４の一端がメインコントロールユニット７０に接続され、第５の抵抗器Ｒ５の一端が第４の抵抗器Ｒ４の一端及びメインコントロールユニット７０にそれぞれ接続され、第５の抵抗器Ｒ５の他端が接地される。第２の三極管Ｑ２のベースが第４の抵抗器Ｒ４の他端に接続され、第２の三極管Ｑ２のエミッターが接地され、第２の三極管Ｑ２のコレクターが第６の抵抗器Ｒ６を介して電圧が予め設定された電源ＶＤＤに接続される。第３の三極管Ｑ３のベースが第２の三極管Ｑ２のコレクターに接続され、第３の三極管Ｑ３のエミッターが接地され、第３の三極管Ｑ３のコレクターが第７の抵抗器Ｒ７を介して電圧が予め設定された電源ＶＤＤに接続される。第４の三極管Ｑ４のベースが第３の三極管Ｑ３のエミッターに接続され、第４の三極管Ｑ４のコレクターが第８の抵抗器Ｒ８を介して電圧が予め設定された電源ＶＤＤに接続される。第５の三極管Ｑ５のベースが第４の三極管Ｑ４のベースに接続され、第５の三極管Ｑ５のコレクターが接地される。第９の抵抗器Ｒ９の一端が第５の三極管Ｑ５のエミッターに接続され、第９の抵抗器Ｒ９の他端が第４の三極管Ｑ４のエミッターに接続され、第１０の抵抗器Ｒ１０の一端が第４の三極管Ｑ４のエミッター及び第９の抵抗器Ｒ９の他端にそれぞれ接続され、第１０の抵抗器Ｒ１０の他端が電力スイッチトランジスタ４０の駆動端、例えば、ＩＧＢＴのゲートに接続される。
【００４２】
具体的に、本発明の実施例において、駆動変圧ユニット６０を追加する。即ち、抵抗器Ｒ１、Ｒ２、Ｒ３及び三極管Ｑ１を追加する。これによって、ＩＧＢＴの起動を制御してオンにさせることで、電磁加熱装置が加熱を行い、このとき、Ｔ１段階において、メインコントロールチップがＰＰＧパルスを駆動ユニット５０に出力するとともに、ハイレベル信号を抵抗器Ｒ１に出力して、Ｑ１をオンにさせる。このとき、抵抗器Ｒ３の分圧により、A点の駆動電圧がＶ１になり、ＩＧＢＴがＶ１の駆動によってオン及びオフにされることで、ＩＧＢＴのＣ極の電圧が発振される。Ｔ２段階において、メインコントロールチップがＰＰＧパルスを駆動ユニット５０に出力するとともに、ローレベル信号を抵抗器Ｒ１に出力して、Ｑ１を遮断させ、駆動変圧ユニット６０のＩＧＢＴの駆動電圧に対する作用が停止され、このとき、Ａ点の駆動電圧がＶ２になるとともに、Ｔ２段階においてＩＧＢＴの駆動電圧がずっとＶ２のレベルに維持されて、電磁加熱装置が加熱する。
【００４３】
従って、本発明の実施例に係る電磁加熱装置の加熱制御回路は、駆動変圧ユニット６０を追加することで、ＩＧＢＴが起動されたＴ１段階において、第１の駆動電圧Ｖ１により作動が駆動され、Ｔ２段階において、第２の駆動電圧Ｖ２により作動が駆動される。ＩＧＢＴが起動されるとき、フィルタリングコンデンサーＣ１が存在することにより、このときのＩＧＢＴのＣ極の電圧が０ではなく、交流電源が整流フィルタリングされた電圧値であり、交流電源電圧の略１.４倍である。ＩＧＢＴの駆動電圧がＶ１であるとき、 ＩＧＢＴが増幅状態で作動され、このときＩＧＢＴを流れる電流値がＶ２電圧条件でのＩＧＢＴのスイッチ状態における電流値よりも遥かに小さい。即ち、ＩＧＢＴを流れる増幅電流がスイッチ電流よりも遥かに小さい。従って、本発明は、ＩＧＢＴの変圧起動により、ＩＧＢＴのオン電流を小さくさせて、ＩＧＢＴが無理にオンにされることによる損害を防止できるとともに、ＩＧＢＴがオンにされるときのノイズを低減できる。
【００４４】
本発明の一実施例において、図５に示すように、前述した電磁加熱装置の加熱制御回路は、第１のツェナーダイオードZ１及び第１１の抵抗器Ｒ１１をさらに備え、第１のツェナーダイオードZ１のアノードがＩＧＢＴのエミッターに接続された後接地され、第１のツェナーダイオードZ１のカソードがＩＧＢＴのゲートに接続され、第１１の抵抗器Ｒ１１と第１のツェナーダイオードZ１とが並列接続される。
【００４５】
本発明の実施例において、電磁加熱装置は電磁調理器、電磁圧力釜、又は電磁炊飯器などの電磁製品であってもよい。
【００４６】
本発明の実施例に係る電磁加熱装置の加熱制御回路によれば、駆動変圧ユニットを追加することで電力スイッチトランジスタの駆動電圧が変更される。このように、メインコントロールユニットが電圧ゼロクロス信号によって、交流電源のゼロクロスポイントの前に、駆動ユニット及び駆動変圧ユニットを制御することで、電力スイッチトランジスタが第１の駆動電圧の駆動によって作動され、また、電力スイッチトランジスタのコレクター電圧が最小限まで発振されたときに、メインコントロールユニットは駆動変圧ユニットが作動を停止するように制御するとともに、駆動ユニットを制御することで、電力スイッチトランジスタが第２の駆動電圧の駆動によって作動されると判断する。従って、電磁加熱装置が加熱するとき、変圧駆動方式によって電極スイッチトランジスタが起動されてオンにされ、電力スイッチトランジスタのオン電流が小さくなり、電力スイッチトランジスタが無理にオンにされることによる損害を低減できるとともに、オンにされるときのノイズを低減でき、また、電力スイッチトランジスタが厳しく発熱されることが防止され、電磁加熱装置の運転信頼性を向上できるとともに、電磁加熱装置の加熱電力の範囲を広げることができる。
【００４７】
図６は、本発明の実施例に係る電磁加熱装置の低電力加熱制御方法のフローチャートである。ここで、前記電磁加熱装置は、共振加熱ユニットと、前記共振加熱ユニットが共振作動されるように制御する電力スイッチトランジスタと、前記電力スイッチトランジスタのオン及びオフを駆動する駆動ユニットと、前記電力スイッチトランジスタの駆動電圧を変更する駆動変圧ユニットとを備える。図６に示すように、前記電磁加熱装置の低電力加熱制御方法は、以下のようなステップＳ１〜Ｓ１を含む。
【００４８】
Ｓ１において、低電力加熱の指令を受信したとき、電磁加熱装置が間欠的加熱を行うように、波紛失方式によって電力スイッチトランジスタを制御する。
【００４９】
本発明の一実施例において、図２又は図３に示すように、波紛失方式により、電磁加熱装置が低電力加熱を行うように制御し、デューティ比が１/２又は２/３である。例えば、加熱電力が１０００Ｗ以下であるとき、メインコントロールチップは低電力状態であると黙認し、そうでない場合、高電力状態である。ユーザーが、電磁加熱装置がある小さい電力（例えば、６００Ｗ）で加熱するように制御するとき、メインコントロールチップが波紛失方式によって処理して、交流電源の１/２又は１/３の波形を放棄して、電磁加熱装置の低電力加熱を実現する。
【００５０】
Ｓ２において、電磁加熱装置に入力された交流電源の電圧ゼロクロス信号を検出する。例えば、電圧ゼロクロス検出ユニットにより交流電源の電圧ゼロクロスポイント信号を検出する。
【００５１】
Ｓ３において、電磁加熱装置を制御して加熱停止区間から加熱区間に切り替えるとき、電圧ゼロクロス信号に基づいて、交流電源のゼロクロスポイントの前に、駆動ユニット及び駆動変圧ユニットを制御することで、電力スイッチトランジスタが第１の駆動電圧の駆動によって作動され、また、電力スイッチトランジスタのコレクターの電圧が最小限まで発振されたときに、駆動変圧ユニットが作動を停止するように制御するとともに、駆動ユニットを制御することで、電力スイッチトランジスタが第２の駆動電圧の駆動によって作動されると判断する。ここで、第２の駆動電圧が第１の駆動電圧よりも大きい。即ち、加熱停止区間から加熱区間に切り替えるごとに、電力スイッチトランジスタ、例えば、ＩＧＢＴの駆動電圧を変更する方式によって、ＩＧＢＴを起動させて加熱することで、ＩＧＢＴの衝撃電流値を低減でき、オンオフノイズを低減できる。
【００５２】
本発明の一実施例において、図２又は図３に示すように、電力スイッチトランジスタ、例えば、ＩＧＢＴの作動過程は、第１の時間帯Ｔ１及び第２の時間帯Ｔ２を含む。ここで、第１の時間帯Ｔ１において、第１の駆動電圧Ｖ１の振幅が変わらないままか、又は直線的に増加し、第１の駆動電圧Ｖ１のパルス幅が増加するか、又は同一になる。第２の時間帯Ｔ２において、第２の駆動電圧Ｖ２の振幅が変わらないままであり、第２の駆動電圧Ｖ２のパルス幅が増加するか、又は同一になる。即ち、ＩＧＢＴの駆動電圧は、図４Ａに示すように、駆動ユニット及び駆動変圧ユニットの作用によって、振幅が変わらないＶ１から振幅が変わらないＶ２に変更するものであってよく、また、図４Ｂに示すように、Ｖ１からＶ２に直線的に変化されるものであってもよく、或いは、Ｖ１乃至Ｖ２値内における複数の変化値であってもよい。また、第１の駆動電圧及び第２の駆動電圧のパルス幅が増加するか、又は同一になるように制御して、ＩＧＢＴの電流を穏やかに制御することで、ＩＧＢＴの衝撃電流をできる限り低減させて、ＩＧＢＴの損害を防止できる。
【００５３】
また、ＩＧＢＴのゲートの駆動電圧がＶ１である場合、ＩＧＢＴが増幅状態で作動され、即ち、第１の時間帯Ｔ１において、電力スイッチトランジスタ、例えば、ＩＧＢＴが増幅状態で作動される。ＩＧＢＴのゲートの駆動電圧がＶ２である場合、ＩＧＢＴがスイッチ状態で作動され、即ち、第２の時間帯Ｔ２において、電力スイッチトランジスタ、例えば、ＩＧＢＴがスイッチ状態で作動される。ＩＧＢＴのゲートの駆動電圧がＶ１である場合、ＩＧＢＴが増幅状態で作動される。このとき、ＩＧＢＴを流れる電流が駆動電圧Ｖ１の大きさに関連する。
【００５４】
本発明の実施例において、図２又は図３に示すように、交流電源のゼロクロスポイントにおいて、電力スイッチトランジスタ、例えば、ＩＧＢＴのコレクターの電圧が最小限、例えばゼロまで発振する。
【００５５】
具体的に、第１の時間帯Ｔ１において、第１の制御信号を駆動ユニットに出力するとともに、第２の制御信号を駆動変圧ユニットに出力することで、電力スイッチトランジスタが振幅が変わらない第１の駆動電圧Ｖ１の駆動によって作動され、電力スイッチトランジスタのコレクター電圧が発振されて小さくなる。第２の時間帯Ｔ２において、第１の制御信号を駆動ユニットに出力することで、電力スイッチトランジスタが第２の駆動電圧Ｖ２の駆動によって作動されるとともに、第３の制御信号を駆動変圧ユニットに出力して、駆動変圧ユニットにおける三極管が遮断されて、駆動変圧ユニットの作動が停止される。
【００５６】
本発明の一実施例において、第１の制御信号がＰＰＧパルスであり、第２の制御信号がハイレベル信号であり、第３の制御信号がローレベル信号であってもよい。
【００５７】
即ち、本発明の実施例において、電磁加熱装置が一定の加熱電力、例えば、６００Ｗで運転されるように制御するとき、間欠的加熱することによって、低電力加熱を実現する。加熱停止区間において、フィルタリングコンデンサーＣ１が存在することにより、ＩＧＢＴのＣ極の電圧は交流電源が整流フィルタリングされた電圧値に維持される。交流電源の電圧ゼロクロスポイントの前のＢ点で起動するとき、駆動電圧Ｖ１により起動されて、ＩＧＢＴをオンさせ、複数のＰＰＧパルスが発振回路に発振を生じさせ、ＩＧＢＴのＣ極の電圧が発振されて小さくなる。ＩＧＢＴ駆動パルス振幅がＶ１であり、パルス幅がＰＰＧのパルス幅であり、ＰＰＧの幅が変わらないように又は規則的に増加するように設定してもよく、複数の発振がされた後、電圧ゼロクロスポイントのＣ点に達したとき、即ち、ＩＧＢＴのＣ極の電圧が最小限まで発振されるとき、コンデンサーＣ１の電圧が０Ｖに近接し、このとき、起動段階Ｔ１が終わり、Ｔ２段階に移行し、ＩＧＢＴの駆動電圧がＶ２に変更され、ＩＧＢＴが通常のスイッチ状態になる。この後、ＩＧＢＴの駆動電圧がＶ２に維持され、そのパルス幅が変わらないか又は規則的に加減され、また、次のゼロクロスポイントのＤ点において、ＩＧＢＴの駆動がオフにされる。
【００５８】
従って、波紛失方式によって、電磁加熱装置が低電力加熱するように制御するとき、ＩＧＢＴの起動電圧を変更することによってＩＧＢＴを起動させ加熱を行い、ＩＧＢＴの起動段階（Ｔ１段階）において、ＩＧＢＴの駆動電圧Ｖ１の振幅が変わらないか又は可変であり、パルス幅が変わらないか又は所定の規則に従って増加し、本加熱段階（Ｔ２段階）において、ＩＧＢＴの駆動電圧の振幅は一定で、Ｖ２になるが、パルス幅は変わらないか又は所定の変化規則に従って加減する。ここで、ＩＧＢＴの起動段階点が交流電源の電圧ゼロクロスポイントの前にあることで、交流電源の電圧ゼロクロスのとき、コンデンサーＣ１の電圧が最小限まで降下することを確保し、即ち、ＩＧＢＴのＣ極の電圧が発振されて０Ｖに近接するとともに、交流電源の電圧ゼロクロスポイントの後、ＩＧＢＴの駆動電圧がＶ２になる。従って、ＩＧＢＴのオン電流が低減され、ＩＧＢＴが無理にオンにされることによる損害が防止できるとともに、ＩＧＢＴがオンにされるときのノイズを低減できる。
【００５９】
本発明の実施例に係る電磁加熱装置の低電力加熱制御方法によれば、低電力加熱の指令を受信したとき、電磁加熱装置が間欠的加熱を行うように、波紛失方式によって電力スイッチトランジスタを制御するとともに、電磁加熱装置を制御して加熱停止区間から加熱区間に切り替えるとき、電圧ゼロクロス信号に基づいて、交流電源のゼロクロスポイントの前に、駆動ユニット及び駆動変圧ユニットを制御することで、電力スイッチトランジスタが第１の駆動電圧の駆動によって作動され、また、電力スイッチトランジスタのコレクターの電圧が最小限まで発振するときに、駆動変圧ユニットが作動を停止するように制御するとともに、駆動ユニットを制御することで、電力スイッチトランジスタが第２の駆動電圧の駆動によって作動されると判断する。従って、電磁加熱装置が加熱区間に入るとき、変圧駆動の方式によって電極スイッチが起動されてオンにされ、電力スイッチトランジスタのオン電流が小さくなり、電力スイッチトランジスタが無理にオンにされることによる損害を低減できるとともに、オンにされるときのノイズを低減でき、また、電力スイッチトランジスタが厳しく発熱されることを防止でき、電磁加熱装置の運転信頼性を向上できるとともに、電磁加熱装置の加熱電力の範囲を広げることができる。
【００６０】
また、本発明の実施例は、前述した電磁加熱装置の加熱制御回路を備える電磁加熱装置をさらに提供する。
【００６１】
本発明の実施例に係る電磁加熱装置によれば、加熱制御回路に駆動変圧ユニットを追加することで電力スイッチトランジスタの駆動電圧を変更する。このように、電磁加熱装置が加熱区間に入るとき、変圧駆動の方式によって電極スイッチが起動されオンにされて、電力スイッチトランジスタのオン電流が小さくなり、電力スイッチトランジスタが無理にオンにされることによる損害を低減できるとともに、オンにされるときのノイズを低減でき、また、電力スイッチトランジスタが厳しく発熱されることを防止でき、運転信頼性を向上できるとともに、加熱電力の範囲を広げることができる。
【００６２】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示された方位又は位置関係に基づくものであり、本発明を便利に又は簡単に説明するために使用されるものであり、指定された装置又は部品が必ず特定の方位にあり、特定の方位に構造され操作されると指示又は暗示するものではないので、本発明に対する限定と理解してはいけない。
【００６３】
また、「第１」、「第２」は目的を説明するための用語に過ぎず、比較的な重要性を指示又は暗示するか、或いは示された技術的特徴の数を黙示的に指示すると理解してはいけない。従って、「第１」、「第２」で限定された特徴は少なくとも１つの当該特徴を含むことを明示又は暗示する。本発明の説明において、別途明確且つ具体的な限定がない限り、「複数」とは、２つ又は２つ以上のことを意味する。
【００６４】
また、本発明の説明において、別途明確な規定と限定がない限り、「取り付け」、「互いに接続」、「接続」の用語の意味は広く理解されるべきである。例えば、固定接続や、着脱可能な接続や、あるいは一体的な接続も可能である。機械的な接続や、電気的な接続であってもよく、直接的に接続することや、中間媒体を介して間接的に接続することや、２つの部品の内部が連通することや、２つの部品の相互的作用関係があることも可能である。当業者は、具体的な場合によって上記用語の本発明における具体的な意味を理解することができる。
【００６５】
本発明において、別途明確的な規定や限定をしない限り、第１の特徴が第２の特徴の「上」又は「下」に位置するとは、第１及び第２の特徴が直接的に接触したり、第１及び第２の特徴が中間媒体を介して間接的に接触することを含む。また、第１の特徴が第２の特徴の 「上」、「上方」又は「上面」に位置するとは、第１の特徴が第２の特徴の真上又は斜め上方に位置することや、第１の特徴の水平高さが第２の特徴の水平高さよりも高いことを示す。第１の特徴が第２の特徴の「下」、「下方」又は「下面」に位置するとは、第１の特徴が第２の特徴の真下又は斜め下方に位置することや、第１の特徴の水平高さが第２の特徴の水平高さよりも低いことを示す。
【００６６】
本発明の説明において、「一実施例」、「一部の実施例」、「例示的な実施例」、「具体的な実施例」、或いは「一部の実施例」などの用語を参考にした説明は、該実施例或いは実施例に結合して説明された具体的な特徴、構成、材料或いは特徴が、本発明の少なくとも一実施例或いは実施例に含まれることを意味する。本明細書において、上記用語に対する例示的な記述は、必ずしも同一の実施例或いは実施例を示すことではない。又、説明された具体的な特徴、構成、材料或いは特徴は、いずれか１つ或いは複数の実施例又は実施例において適切に組み合わせることができる。さらに、互いに矛盾しない場合、当業者であれば、本明細書に記述した異なる実施例又は例示、及び異なる実施例又は例示的特徴に対して結合及び組み合わせを行うことができる。
【００６７】
以上、本発明の実施例に対して説明したが、上記実施例は例示的なものであり、本発明を限定するものではない。当業者であれば、本発明の範囲内で、上記実施例についての変更、修正、差し替え及び変形を実施可能である。
【符号の説明】
【００６８】
１０  電圧ゼロクロス検出ユニット
２０  共振加熱ユニット
３０  整流フィルタリングユニット
４０  電力スイッチトランジスタ
５０  駆動ユニット
６０  駆動変圧ユニット
７０  メインコントロールユニット
３０１  整流ブリッジ
【図１】
0006480083.tif 000002
【図２】
0006480083.tif 000003
【図３】
0006480083.tif 000004
【図４Ａ】
0006480083.tif 000005
【図４Ｂ】
0006480083.tif 000006
【図５】
0006480083.tif 000007
【図６】
0006480083.tif 000008